(57)【要約】【課題】記録開始半径Ｒ、セクタ長Ｌ、トラック間隔Ｔは、光ディスクにより基準値は決められているが実際ディスク毎に多少の誤差を持っており、アドレスを極座標に変換すると回転角の誤差が非常に大きくなり、回転角を正しく表すことが困難となる。【解決手段】ＣＬＶフォーマットされたディスクに応じた、セクタ長、最内周半径およびトラックピッチの３つのパラメータを用いて演算を行ない、アドレスを座標に変換することを特徴とし、回転角を正しく求められるという効果がある。【選択図】図１
2008262624.tif 000002
【特許請求の範囲】
【請求項１】
ＣＬＶフォーマットされたディスクにおいて、セクタ長、最内周半径およびトラックピッチの３つのパラメータを用いて演算によりアドレスを座標に変換する方法であって、前記３つのパラメータは、前記ディスクに応じて微調整されていることを特徴とするアドレス変換方法。
【請求項２】
ＣＬＶフォーマットされたディスクにおいて、セクタ長、最内周半径およびトラックピッチの３つのパラメータを用いて演算によりアドレスを座標に変換する方法であって、前記３つのパラメータのうち、第１のパラメータを所定の値とし、他の２つのパラメータは前記ディスクに応じて微調整されていることを特徴とするアドレス変換方法。
【請求項３】
ＣＬＶフォーマットされたディスクを回転させるモータと、前記ディスクからの再生信号よりアドレスを検出するアドレス検出手段と、前記アドレス検出手段より前記モータが所定の回転角となった際のアドレスを取得するアドレス取得手段と、前記ディスクに応じてセクタ長、最内周半径およびトラックピッチを調整する調整手段を備え、前記調整手段は前記アドレス取得手段が取得したアドレスを基に、前記ディスクのセクタ長、最内周半径およびトラックピッチのうち少なくとも２つを調整することを特徴とする光ディスク装置。
【請求項４】
ＣＬＶフォーマットされたディスクを回転させるモータと、前記ディスクからの再生信号よりアドレスを検出するアドレス検出手段と、前記モータの回転角を検出する回転角検出手段と、前記アドレス検出手段がアドレスを検出した際の回転角を取得する回転角取得手段と、前記ディスクに応じてセクタ長、最内周半径およびトラックピッチを調整する調整手段を備え、前記調整手段は前記回転角取得手段が取得した回転角を基に、前記ディスクのセクタ長、最内周半径およびトラックピッチのうち少なくとも２つを調整することを特徴とする光ディスク装置。
【請求項５】
前記回転角検出手段が検出する回転各は、１回転をｎ分割（ｎは２以上の整数）した領域であることを特徴とする、請求項４記載の光ディスク装置。
【請求項６】
前記ディスクに情報を記録する記録手段を備え、前記調整手段により調整された前記ディスクのセクタ長、最内周半径およびトラックピッチのうち少なくとも１つを前記ディスクに記録することを特徴とする、請求項３〜５いずれかに記載の光ディスク装置。
【請求項７】
ＣＬＶフォーマットされたディスクの欠陥位置を表示する欠陥表示装置であって、前記ディスク上に存在する欠陥のアドレスを取得する欠陥位置検出手段と、前記欠陥のアドレスを前記ディスク上の座標に変換するアドレス変換手段と、前記座標に従い前記欠陥の位置を表示する表示手段を備え、前記アドレス変換手段は、前記ディスクに応じた、セクタ長、最内周半径およびトラックピッチの３つのパラメータを用いて演算を行ない、アドレスを座標に変換することを特徴とする欠陥表示装置。
【請求項８】
前記アドレス変換手段は、セクタ長、最内周半径およびトラックピッチの３つのパラメータうち、いずれか１つのパラメータを所定の値とし、他の２つのパラメータは前記ディスクに応じた値を用いて演算を行ない、アドレスを座標に変換することを特徴とする請求項７記載の欠陥表示装置。
【請求項９】
前記ディスクに応じたパラメータは、前記ディスクに記録されている値を用いることを特徴とする、請求項７または請求項８に記載の欠陥表示装置。
【請求項１０】
前記ディスクに応じた前記パラメータを調整するパラメータ調整手段を備え、前記アドレス変換手段は、前記パラメータ調整手段が調整した前記パラメータを用いて演算を行なうことを特徴とする、請求項７または請求項８に記載の欠陥表示装置。
【請求項１１】
ＣＬＶフォーマットされたディスクを記録もしくは再生する光ディスク装置において、光ビームスポットの現在位置を取得する位置取得手段と、前記現在位置から目的位置までのトラック数を計算するトラック数演算手段と、前記トラック数に従い前記光ビームのスポットを移動させる移動手段を備え、前記トラック数演算手段は前記光ディスクに応じた、セクタ長、最内周半径およびトラックピッチの３つのパラメータを用いて前記トラック数を計算することを特徴とする光ディスク装置。
【請求項１２】
前記トラック数演算手段は、セクタ長、最内周半径およびトラックピッチの３つのパラメータうち、いずれか１つのパラメータを所定の値とし、他の２つのパラメータは前記ディスクに応じた値を用いて演算を行ない、前記トラック数を計算することを特徴とする請求項１１記載の光ディスク装置。
【請求項１３】
前記ディスクに応じたパラメータは、前記ディスクに記録されている値を用いることを特徴とする、請求項１１または請求項１２に記載の光ディスク装置。
【請求項１４】
前記ディスクに応じた前記パラメータを調整するパラメータ調整手段を備え、前記トラック数演算手段は、前記パラメータ調整手段が調整した前記パラメータを用いて演算を行なうことを特徴とする、請求項１１または請求項１２に記載の光ディスク装置。
【請求項１５】
ＣＬＶフォーマットされたディスクを記録もしくは再生する光ディスク装置の集積回路であって、光ビームスポットの現在位置を取得する位置取得手段と、前記現在位置から目的位置までのトラック数を計算するトラック数演算手段と、前記トラック数に従い前記光ビームのスポットを移動させる移動手段を備え、前記トラック数演算手段は前記光ディスクに応じた、セクタ長、最内周半径およびトラックピッチの３つのパラメータを用いて前記トラック数を計算することを特徴とする集積回路。
【請求項１６】
ＣＬＶフォーマットされたディスクの２つのアドレス間のトラック数を検出するトラック数検出手段と、判定手段とを備え、前記判定手段は前記トラック数検出手段により検出された複数のアドレス間のトラック数と所定の値を比較して前記ディスクを識別することを特徴とする光ディスク装置。
【請求項１７】
前記ディスクを回転させるモータと、前記ディスクからの再生信号よりアドレスを検出するアドレス検出手段と、前記モータの回転角を検出する回転角検出手段と、前記アドレス検出手段がアドレスを検出した際の回転角を取得する回転角取得手段と、前記ディスクに応じてセクタ長、最内周半径およびトラックピッチを調整する調整手段を備え、前記調整手段は前記回転角取得手段が取得した回転角を基に、前記ディスクのセクタ長、最内周半径およびトラックピッチのうち少なくとも２つを調整し、前記トラック数検出手段は前記ディスクに応じた、セクタ長、最内周半径およびトラックピッチの３つのパラメータを用いて演算によりトラック数を検出することを特徴とする請求項１６に記載の光ディスク装置。
【請求項１８】
前記ディスクを回転させるモータと、前記ディスクからの再生信号よりアドレスを検出するアドレス検出手段と、前記アドレス検出手段より前記モータが所定の回転角となった際のアドレスを取得するアドレス取得手段と、前記ディスクに応じてセクタ長、最内周半径およびトラックピッチを調整する調整手段を備え、前記調整手段は前記アドレス取得手段が取得したアドレスを基に、前記ディスクのセクタ長、最内周半径およびトラックピッチのうち少なくとも２つを調整し、前記トラック数検出手段は前記ディスクに応じた、セクタ長、最内周半径およびトラックピッチの３つのパラメータを用いて演算によりトラック数を検出することを特徴とする請求項１６に記載の光ディスク装置。
【発明の詳細な説明】
【技術分野】
【０００１】
本発明は、光ディスク装置およびディスクの欠陥を表示する装置に関する。
【背景技術】
【０００２】
光ディスクの記録面に指紋やゴミの付着等の欠陥が存在する場合、欠陥部への情報の記録や欠陥部からの情報の再生が正しく行なえない。正しく情報の記録・再生を行なうためには、欠陥を除去しなければならない。
【０００３】
これら欠陥の除去を容易にするため、欠陥部を光ディスク形状のイメージに重ねて表示する技術が提案されている（例えば特許文献１参照）。この技術を用いれば、視覚的に欠陥の位置を知ることが可能となる。
【特許文献１】特開平１０−２７４４８号公報（段落００１２〜００１８）
【発明の開示】
【発明が解決しようとする課題】
【０００４】
任意のアドレスＡの位置を、光ディスクの中心を原点とする極座標（ｒ，θ）へ変換する方法について説明する。半径ｒは、記録開始位置を（Ｒ，０）、記録開始位置からアドレスＡまでのセクタ数をＳ、セクタ長をＬ、トラック間隔をＴとすると、（数１）と表せる。記録開始位置からアドレスＡまでのトラック数Nは、Ｎ＝（ｒ−Ｒ）／Ｔと表すことができる。回転角θ＝０ではＮは整数となるので、Ｎの小数部が回転角を表しており、θ＝（Ｎの小数部×２π）と表せる。
【０００５】
【数１】
2008262624.tif 000003
【０００６】
しかしながら、記録開始半径Ｒ、セクタ長Ｌ、トラック間隔Ｔは、光ディスクにより基準値は決められているが実際には多少の誤差を持っている。θはＮの小数部により決まるため、これらの誤差の影響を大きく受けることとなり、回転角を正しく表すことが困難となる。
【０００７】
例えば、トラック数が１００００本、回転角０となるアドレスＢに対して、トラックピッチに０．０１％の誤差があると、回転角は２π（＝１周）の誤差を持つこととなる。実用化されている直径１２ｃｍの光ディスクには数万本のトラックがあり、トラックピッチに０．０１％の誤差があれば、ディスク全面に対する正しい回転角を求めることは困難となり、欠陥の位置を正しく表示することは不可能となる。
【０００８】
本発明は、上記従来の課題を解決するものであり、ディスクに応じた記録開始半径、セクタ長、トラック間隔を用いることにより、欠陥を正しく表示できる欠陥表示装置を提供することを目的とする。
【課題を解決するための手段】
【０００９】
上記目的を達成するために、本発明のアドレス変換方法は、ＣＬＶフォーマットされたディスクに応じた、セクタ長、最内周半径およびトラックピッチの３つのパラメータを用いて演算を行ない、アドレスを座標に変換することを特徴としている。
【００１０】
また、本発明のアドレス変換方法は、ＣＬＶフォーマットされたディスクにおいて、セクタ長、最内周半径およびトラックピッチの３つのパラメータうち、第１のパラメータを所定の値とし、他の２つのパラメータはディスクに応じた値を用いて演算を行ない、アドレスを座標に変換することを特徴としている。
【００１１】
また、本発明の光ディスク装置は、ＣＬＶフォーマットされたディスクを回転させるモータと、ディスクからの再生信号よりアドレスを検出するアドレス検出手段と、アドレス検出手段よりモータが所定の回転角となった際のアドレスを取得するアドレス取得手段と、ディスクに応じてセクタ長、最内周半径およびトラックピッチを調整する調整手段を備え、調整手段はアドレス取得手段が取得したアドレスを基に、ディスクのセクタ長、最内周半径およびトラックピッチのうち少なくとも２つを調整することを特徴としている。
【００１２】
また、本発明の光ディスク装置は、ＣＬＶフォーマットされたディスクを回転させるモータと、ディスクからの再生信号よりアドレスを検出するアドレス検出手段と、モータの回転角を検出する回転角検出手段と、アドレス検出手段がアドレスを検出した際の回転角を取得する回転角取得手段と、ディスクに応じてセクタ長、最内周半径およびトラックピッチを調整する調整手段を備え、調整手段は回転角取得手段が取得した回転角を基に、ディスクのセクタ長、最内周半径およびトラックピッチのうち少なくとも２つを調整することを特徴としている。
【００１３】
また、本発明の欠陥表示装置は、ディスク上に存在する欠陥のアドレスを取得する欠陥位置検出手段と、欠陥のアドレスをディスク上の座標に変換するアドレス変換手段と、座標に従い欠陥の位置を表示する表示手段を備え、アドレス変換手段は、ディスクに応じた、セクタ長、最内周半径およびトラックピッチの３つのパラメータを用いて演算を行ない、アドレスを座標に変換することを特徴としている。
【００１４】
また、本発明の光ディスク装置は、光ビームスポットの現在位置を取得する位置取得手段と、現在位置から目的位置までのトラック数を計算するトラック数演算手段と、トラック数に従い光ビームのスポットを移動させる移動手段を備え、トラック数演算手段は光ディスクに応じた、セクタ長、最内周半径およびトラックピッチの３つのパラメータを用いてトラック数を計算することを特徴としている。
【００１５】
また、本発明の集積回路は、光ビームスポットの現在位置を取得する位置取得手段と、現在位置から目的位置までのトラック数を計算するトラック数演算手段と、トラック数に従い光ビームのスポットを移動させる移動手段を備え、トラック数演算手段は光ディスクに応じた、セクタ長、最内周半径およびトラックピッチの３つのパラメータを用いてトラック数を計算することを特徴としている。
【発明の効果】
【００１６】
本発明の欠陥表示装置によれば、ディスク上の欠陥位置を正しくディスクイメージ上に表示することができる。
【発明を実施するための最良の形態】
【００１７】
以下本発明の実施の形態について、図面を参照しながら説明する。
【００１８】
（実施の形態１）
まず、本発明の実施の形態１の光ディスク装置において、セクタ長、最内周半径、トラックピッチを求める方法について図１を用いて説明する。
【００１９】
図１は本実施の形態１における光ディスク装置の構成を示すブロック図であり、５０はスピンドルモータ、５１はディスク、５２は光ピックアップ、５３はアドレス検出手段、５４は回転信号生成手段、５５はアドレス取得手段、５６は演算手段である。
【００２０】
スピンドルモータ５０は、ディスク５１を所定の回転数で回転させる。光ピックアップ５２は、ディスク５１に光ビームを照射し、その反射光から再生信号を生成しアドレス検出手段５３へ出力する。アドレス検出手段５３は、再生信号よりアドレス情報を生成しアドレス取得手段５５へ出力する。回転信号生成手段５４は、モータ５０が所定の回転角となったことを検出すると、回転信号をアドレス取得手段５５へ出力する。アドレス取得手段５５は、回転信号が入力される度に直前に入力されたアドレス情報を同期アドレス列として演算手段５６へ出力する。演算手段５６は、同期アドレス列を用いて、セクタ長、最内周半径、トラックピッチ（以後、これら３つをアドレス位置演算パラメータと称する）の調整を行なう。
【００２１】
ディスク５１より検出される同期アドレス列の例を、図２および図3を追加して説明する。図２はディスク５１のトラックの一部を拡大したアドレス配置図であり、１５０はトラック、１５１は同期位置、１００〜１４１はトラック１５０を構成するセクタに割り当てられたアドレスである。図３はディスク５１の一部のトラックのアドレス配置を基準値を用いて計算により求めたアドレス配置図であり、１０４、１１１、１１９、１２８、１３８はアドレス、１５５は同期アドレス列の平均回転角である。
【００２２】
光ピックアップ５２より照射される光ビームは、トラック１５０に沿って内側から外側へ右回転に進むものとする。このとき、アドレス検出手段５３は、１００、１０１、１０２、・・・、１４０、１４１という順番でアドレスを検出し、これらのアドレス情報をアドレス取得手段５５へ出力する。回転信号生成手段５４は、光ビームが同期位置１５１を通過するタイミングで回転信号を出力する。アドレス取得手段５５は、アドレス情報のうち、１０４、１１１、１１９、１２８、１３８、を同期アドレス列として出力する。
【００２３】
標準的なアドレス位置演算パラメータを用いて計算により求めた同期アドレス列の位置を図３に示す。図３において、同期アドレス列の平均回転角１５５から同期アドレス列の各アドレスまでの回転角ずれが最大で約９０度ある。演算手段５６は、この回転角ずれが十分小さくなるようにアドレス位置演算パラメータを調整する。演算手段５６により調整されたアドレス位置演算パラメータ用いることにより、計算によりディスク上のアドレスの回転角を正しく求めることができる。
【００２４】
アドレス位置演算パラメータの調整方法としては、例えば、同期アドレス列の平均回転角からの回転角ずれの分散が最小となるように調整してもよいし、同期アドレス列の平均回転角からの回転角ずれが所定の角度以内となるように調整してもよいし、同期アドレス列それぞれのアドレスが所定の角度以内となるように調整してもよい。図４は同期アドレス列の回転角の平均から、各同期アドレスまでの回転角ずれの分散が最小となるようにアドレス位置演算パラメータを調整した場合のアドレス配置図であり、１０４、１１１、１１９、１２８、１３８は同期アドレス列、１５６は同期アドレス列の回転角の平均である。
【００２５】
なお、アドレス位置演算パラメータの調整時には、１つのセクタの開始点から終了点までが占める回転角を考慮することが望ましい。１つのセクタが占める最大の回転角は、調整領域の最内周１周のセクタ数により決まる。例えば、図２に示すディスクに対して同期アドレス列それぞれのアドレスが所定の角度以内となるように調整する場合、最内周では１周が約６セクタであるため、１つのセクタが占める最大の回転角は約６０度となる。これは、アドレス位置演算パラメータが正しく調整されていても、同期アドレス列それぞれのアドレスが最大で６０度の範囲に分布することを表している。従って、同期アドレス列それぞれのアドレスが６０度以内となるように調整すればよい。例えば一般に普及している光ディスクであるＤＶＤにおいてディスク全域に対し調整する場合であれば、最内周１周は約３０セクタであるので、同期アドレス列それぞれのアドレスが６０度以内となるように調整すればよい。
【００２６】
（実施の形態２）
次に、本発明の実施の形態２の光ディスク装置において、セクタ長、最内周半径、トラックピッチを求める方法について図５を用いて説明する。
【００２７】
図５は本実施の形態２における光ディスク装置の構成を示すブロック図であり、６０はスピンドルモータ、６１はディスク、６２は光ピックアップ、６３はアドレス検出手段、６４は回転角判別手段、６５は回転角取得手段、６６は演算手段である。
【００２８】
スピンドルモータ６０は、ディスク６１を所定の回転数で回転させる。光ピックアップ６２は、ディスク６１に光ビームを照射し、その反射光から再生信号を生成しアドレス検出手段６３へ出力する。アドレス検出手段６３は、再生信号よりアドレス情報を生成し回転角検出手段６５へ出力する。回転角判別手段６４は、モータ６０の回転角を検出し、回転角情報を回転角取得手段６５へ出力する。回転角検出手段６５は、アドレス情報が入力される度に、回転各情報とアドレス情報をアドレス位置情報として演算手段６６へ出力する。演算手段６６は、アドレス位置情報を用いてアドレス位置演算パラメータの調整を行なう。
【００２９】
ディスク６１より検出されるアドレス位置情報の例を、図６を追加して詳細に説明する。図６はディスク６１のトラックの一部を拡大したアドレス配置図であり、１〜１２は領域、２００〜２４１はアドレス、２５０はトラックである。
【００３０】
光ピックアップ６２より照射される光ビームは、トラック２５０に沿って内側から外側へ右回転に進むものとする。このとき、アドレス検出手段６３は、２００、２０１、２０２、・・・、２４０、２４１という順番でアドレス情報を回転角検出手段６５へ出力する。回転角判別手段６４は、光ビームがディスク６１を周方向に１２分割した領域１〜１２のうちどの領域に存在するかを表す回転各情報を出力する。回転角検出手段６５は、アドレス２００に対しては回転角情報１、アドレス２０１に対しては回転角情報３、アドレス２０２に対しては回転角情報５、・・・、アドレス２４０に対しては回転角情報１１、アドレス２４１に対しては回転角情報１２を出力する。
【００３１】
演算手段６６におけるアドレス位置演算パラメータの調整方法の一例について、図７および図８を追加して説明する。図７は領域１１に含まれると検出されたアドレス２０５、２１２、２２０、２３０、２４０の位置を、標準的なアドレス位置演算パラメータを用いて計算により求め図示したアドレス配置図である。図８は、調整されたアドレス位置演算パラメータを用いて計算により求め図示したアドレス配置図である。
【００３２】
本実施例においては、１周を１２分割しているので、１つの領域が占める範囲は３０度である。これに対し、図７において領域１１に含まれるアドレスはおよそ１８０度の領域に分布しており、正しい位置を求められていないことがわかる。演算手段６６は、領域１１に含まれるアドレスの分布が３０度以内となるようにアドレス位置演算パラメータを調整する。演算手段６６により調整されたアドレス位置演算パラメータを用いれば、図８に示すように計算によりディスク上のアドレスの回転角を正しく求めることができる。
【００３３】
本実施例では１つの領域を用いてアドレス位置演算パラメータの調整を行なう例を説明したが、複数の領域を用いてアドレス位置演算パラメータの調整を行なってもよい。例えば、領域３、７、１１それぞれに対して、各領域に含まれるアドレスの分布がそれぞれ３０度以内となるようにアドレス位置演算パラメータを調整すればよい。さらに、各領域の中心がそれぞれ１２０度の関係となるように調整してもよい。
【００３４】
さらに、演算手段６６におけるアドレス位置演算パラメータの調整方法の他の例について説明する。
【００３５】
各トラックにおいてアドレスと領域の関係を表す近似式を求める。アドレスをｘ、領域をｙとすると、近似式は、ｙ＝Ａｘ−Ｂと表すことができる。ここで、Ａ、Ｂは各トラックにおける定数であり、例えば最小二乗法により求めればよい。この近似式により、所定の領域となる各トラックの基準位置のアドレスを求める。演算パラメータの調整は、各基準位置のアドレスの回転角を演算パラメータを用いて計算した時に、各基準位置の回転角が所定の角度以内に分布するように調整してもよいし、各基準位置のアドレスの回転角を演算パラメータを用いて計算した時に、各基準位置の回転角の分散が、所定値以下や最小となるように調整してもよい。
【００３６】
図６に示すディスクに対して調整を行なう例を、図９および図１０を追加して詳しく説明する。図９は、標準的なアドレス位置演算パラメータを用いて計算により基準位置を求めたアドレス配置図であり、２６１〜２６５は基準位置、２５５は基準位置の平均回転角である。図１０は、調整されたアドレス位置演算パラメータを用いて計算により基準位置を求めたアドレス配置図であり、２６１〜２６５は基準位置、２５６は基準位置の平均回転角である。
【００３７】
図６に示すディスクの各トラックにおいて、ｙ＝７．０となる基準位置のアドレスを求める。アドレス２００〜２０５で構成されるトラックに対し、最小二乗法を用いて近似式を求め、この近似式よりｙ＝７．０となる基準位置２６１のアドレスを計算する。基準位置２６１のアドレスは、２０３．００となる。アドレス２０６〜２１３で構成されるトラックに対し、最小二乗法を用いて近似式を求め、この近似式よりｙ＝７．０となる基準位置２６２のアドレスを計算する。基準位置２６２のアドレスは、２０９．７２となる。アドレス２１４〜２２１で構成されるトラックに対し、最小二乗法を用いて近似式を求め、この近似式よりｙ＝７．０となる基準位置２６３のアドレスを計算する。基準位置２６３のアドレスは、２１７．５０となる。アドレス２２２〜２３０で構成されるトラックに対し、最小二乗法を用いて近似式を求め、この近似式よりｙ＝７．０となる基準位置２６４のアドレスを計算する。基準位置２６４のアドレスは、２２６．６１となる。アドレス２３１〜２４１で構成されるトラックに対し、最小二乗法を用いて近似式を求め、この近似式よりｙ＝７．０となる基準位置２６５のアドレスを計算する。基準位置２６５のアドレスは、２３６．６５となる。
【００３８】
標準的なアドレス位置演算パラメータを用いて計算により求めた同期アドレス列の位置を図９に示す。図９において、基準位置の平均回転角２５５から各基準アドレスまでの回転角ずれが最大で約９０度ある。演算手段６６は、この回転角ずれが十分小さくなるようにアドレス位置演算パラメータを調整する。演算手段６６により調整されたアドレス位置演算パラメータを用いれば、図１０に示すように計算によりディスク上のアドレスの回転角を正しく求めることができる。
【００３９】
なお、実施の形態１もしくは実施の形態２で説明したアドレス位置演算パラメータの調整は、3つのパラメータのうち１つは固定値とし、他の２つのみを調整するようにしてもよい。例えば、セクタ長を標準の値に固定し、最内周半径およびトラックピッチを調整すればよい。
【００４０】
記録開始位置から任意のアドレスＡまでのトラック数Ｎは、（数２）と表すことができる。
【００４１】
セクタ長の標準値をＬｓ、セクタ長の標準値からの誤差率をｅとするとセクタ長Ｌは、Ｌ＝Ｌｓｅ、と表すことができる。さらに、Ｒｅ＝Ｒ／ｅ、Ｔｅ＝Ｔ／ｅ、とすると、（数２）を（数３）と書き換えることができる。（数３）より、最内周半径およびトラックピッチを、セクタ長の標準値からの誤差率を含むように調整すれば、セクタ長の標準値を用いてもトラック数Ｎは正しく計算できことがわかる。すなわち、ディスク上の任意のアドレスＡの回転角を正しく求めることができる。
【００４２】
【数２】
2008262624.tif 000004
【００４３】
【数３】
2008262624.tif 000005
【００４４】
アドレス位置演算パラメータのうち、セクタ長を標準の値に固定し、最内周半径およびトラックピッチを調整する一例について説明する。基準位置２６１〜２６５のアドレスを求める方法は同様のため省略する。複数のトラックピッチの候補に対し、基準位置２６１から基準位置２６５までのトラック数が４となるようにそれぞれ最内周半径を求め、基準位置２６１〜２６５の回転角の分散が最も小さい最内周半径とトラックピッチの組み合わせを選択すればよい。また、この調整を異なる複数の候補について繰り返してもよい。
【００４５】
なお、実施の形態１もしくは実施の形態２で説明したアドレス位置演算パラメータの調整では全トラックの情報を用いたが、必ずしも全トラックの情報を用いる必要はなく、少なくとも３トラック以上の情報を用いればよい。このとき、調整に用いる前のトラックおよび後ろのトラックとの回転角ずれは１８０度未満となるようにすることが望ましい。例えば、基準位置２６１から基準位置２６５までのトラック数は標準的なアドレス位置演算パラメータを用いて計算により求めると３．５トラックとなる。基準位置２６１から基準位置２６３までの回転角ずれは約−１１０度、基準位置２６３から基準位置２６５までの回転角ずれは約−７０度であり、基準位置２６１から基準位置２６５までの回転角ずれは約−１８０度であることがわかる。これらより、正しいトラック数に対し３．５トラックは−１８０度の誤差があり、正しいトラック数は４トラックであることがわかる。これに対して基準位置２６３を用いずに、基準位置２６１から基準位置２６５までの回転角ずれを求めようとすると、回転角ずれが＋１８０度か−１８０度か判断することができず、正しいトラック数を求めることはできない。
【００４６】
なお、実施の形態１もしくは実施の形態２で説明したアドレス位置演算パラメータの調整は、まず狭い領域で調整を行ない、次に狭い領域での調整結果を基により広い領域で調整を行なうようにしてもよい。
【００４７】
なお、実施の形態１もしくは実施の形態２で説明したアドレス位置演算パラメータの調整結果を、ディスクに記録してもよい。記録方法は特に図示しないが、既知の方法を用いればよい。
【００４８】
（実施の形態３）
次に、本発明の実施の形態３の欠陥表示装置について図１１を用いて説明する。図１１は本実施の形態３における欠陥表示装置の構成を示したブロック図であり、７１はディスク、７２は光ピックアップ、７３はエラー検出手段、７４はアドレス変換手段、７５は表示部である。
【００４９】
光ピックアップ７２は、ディスク７１に光ビームを照射し、その反射光から再生信号を生成しエラー検出手段７３へ出力する。エラー検出手段７３は、再生信号よりディスク７１の欠陥を検出し、欠陥部分のアドレスをアドレス変換手段７４へ出力する。アドレス変換手段７４は、アドレス位置演算パラメータを用いて欠陥部分のアドレスをディスクイメージの座標に変換し表示部７５へ出力する。表示部７５はディスクイメージ上に欠陥部分を表示する。
【００５０】
例えば、ディスク７１に図１２のような傷が存在する場合、標準的なアドレス位置演算パラメータを用いて欠陥部分のアドレスを座標に変換すると、回転角に大きな誤差が生じるため表示されるイメージは図１３のようになり、傷の位置や形状を正しく表すことができない。ディスク７１に対して調整されたアドレス位置演算パラメータを用いて欠陥部分のアドレスを座標に変換すると、表示されるイメージは図１４のようになり傷の位置や形状を正しく表すことができる。
【００５１】
アドレス変換手段７４が用いるアドレス位置演算パラメータは、ディスク７１に記録されている値を用いてもよいし、ディスク７１に対して調整した値を用いてもよいし、データベースに保存されているディスクに対応した値を用いてもよい。ディスク７１に対してアドレス位置演算パラメータを調整するには、例えば実施の形態１や実施の形態２で説明した方法を用いればよい。
【００５２】
エラー検出手段７３が欠陥を検出する方法としては、再生信号に生じた誤りを誤り訂正符号により検出してもよいし、再生信号の振幅低下により検出してもよいし、その他の既知の方法を用いてもよい。例えば再生信号に生じた誤りを誤り訂正符号により検出する場合には、欠陥位置をより細かく特定することができる。３０度の回転角を占めるある1つのセクタに誤り訂正符号を構成する１０００のシンボルが含まれているとすれば、欠陥位置は０．０３度の精度で特定することができる。また、セクタを複数の領域に区切り、領域毎に誤りが生じたシンボルの数により、欠陥の強度を示すようにしてもよい。例えば、1つのセクタに誤り訂正符号を構成する１０００のシンボルが含まれているとすれば、セクタを１０の領域に分割し、各領域のエラー数が１〜１０を小欠陥、１１〜５０を中欠陥、５１以上を大欠陥としてもよい。欠陥の強度をイメージとして表示するには、濃度を変えてもよいし色を変えてもよい。セクタを分割する領域は、再生信号中に含まれる同期信号を区切りとするフレームとしてもよい。
【００５３】
このように、本実施の形態３の欠陥表示装置を用いれば、ディスク上の欠陥位置をディスクイメージ上に正しく表示することができる。
【００５４】
（実施の形態４）
次に、本発明の実施の形態４の光ディスク装置について図１５を用いて説明する。図１５は本実施の形態４における光ディスク装置の構成を示したブロック図であり、８１はディスク、８２は光ピックアップ、８３はアドレス検出手段、８４は制御手段、８５は移動手段である。
【００５５】
光ピックアップ８２からディスク８１に照射されている光ビームを目標のアドレスに移動させる方法について説明する。光ピックアップ８２は、ディスク８１に光ビームを照射し、その反射光から再生信号を生成しアドレス検出手段８３へ出力する。アドレス検出手段８３は、再生信号よりアドレスを検出し制御手段８４へ出力する。制御手段８４は、光ビームが照射されているディスク８１の現在のアドレスをアドレス検出手段８３より取得する。さらに、目標のアドレスと取得した現在のアドレスより、現在のアドレスから目標のアドレスまでのトラック本数をアドレス位置演算パラメータを用いて計算し、移動手段８５へ出力する。移動手段８５は、制御手段８４からのトラック本数に従い、光ピックアップ８２からディスク８１に照射されている光ビームを指定のトラック数移動させる。
【００５６】
制御手段８４が用いるアドレス位置演算パラメータは、ディスク８１に記録されている値を用いてもよいし、ディスク８１に対して調整した値を用いてもよい。ディスク８１に対してアドレス位置演算パラメータを調整するには、例えば実施の形態１や実施の形態２で説明した方法を用いればよい。
【００５７】
計算したトラック本数に誤差があると、指定されたトラック数だけ正確に移動できたとしても、移動先のアドレスが目標のアドレスとは異なりもう一度現在のアドレス取得から光ビームの移動までの動作を行なわなければならない。このために、目標のアドレスまでの移動時間が長くなってしまう。本実施の形態４の光ディスク装置を用いれば、ディスク８１に対して調整されたアドレス位置演算パラメータを用いることにより、現在のアドレスから目標アドレスまでのトラック本数を正しく求めることができ、目標のアドレスまでの移動時間を短縮することができる。
【００５８】
なお、制御手段８４は、トラック本数の計算時間や光ビームの移動時間を考慮し、トラック本数に補正を加えてもよい。
【００５９】
なお、アドレス検出手段８３、制御手段８４、移動手段８５はＬＳＩにより実現してもよい。
【００６０】
（実施の形態５）
次に、本発明の実施の形態５の光ディスク装置について説明する。
【００６１】
光ディスクを製造する際には、スタンパと呼ばれる押型を用いて射出形成により大量生産される。スタンパを製造（以後、カッティングと称する）する際の、トラックやピットの形成開始半径、トラックやピットを形成するためのクロックとカッティング装置の回転数の関係、等の条件を僅かに変えれば、各アドレス間の回転角の関係が異なるスタンパを容易に製造できる。一方、あるスタンパと全く同じ各アドレス間の回転角の関係を持つスタンパを製造するには、カッティングの際の条件を厳密に同じにする必要があるが、製造されたディスクからこれらの条件を推定することは難しく、実質的に複製できない。
【００６２】
ディスク上のある２つのアドレスAとアドレスB間の回転角の関係は、アドレスＡからアドレスＢまでのトラック数が多くなればなるほど、アドレス位置演算パラメータの誤差の影響を大きく受ける。このため、十分離れた複数のアドレスに対して、各アドレス間の回転角が所定の関係となっているかを確かめることにより、ディスクを識別することができる。さらに、各アドレス間のトラック数を同時に比較すればより正確に識別できる。あるアドレスAとアドレスBの間の回転角やトラック数の関係は、アドレスAからアドレスBまでを走査する間に、ディスクを回転させるモータから回転回数に比例して出力される信号を数えることにより実現してもよいし、実施の形態１もしくは実施の形態２で説明した光ディスク装置を用いてアドレス位置演算パラメータより演算により求めてもよい。
【００６３】
このように、本実施の形態５の光ディスク装置によれば、ディスクが複製物であるか否かを識別することができ、不正に複製されたディスクを排除することが可能となる。
【００６４】
なお、回転角はトラック数の小数部として表現することができる。
【産業上の利用可能性】
【００６５】
本発明の欠陥表示装置は、欠陥の位置を正しくディスクイメージ上に表示できるので、ディスク上の欠陥を確認することができる。
【図面の簡単な説明】
【００６６】
【図１】本実施の形態１における光ディスク装置の構成を示すブロック図
【図２】本実施の形態１におけるディスクの一部を拡大したアドレス配置図
【図３】本実施の形態１におけるアドレス配置を基準値より求めたアドレス配置図
【図４】本実施の形態１におけるアドレス配置を調整値より求めたアドレス配置図
【図５】本実施の形態２における光ディスク装置の構成を示すブロック図
【図６】本実施の形態２におけるディスクの一部を拡大したアドレス配置図
【図７】本実施の形態２におけるアドレス配置を基準値より求めたアドレス配置図
【図８】本実施の形態２におけるアドレス配置を調整値より求めたアドレス配置図
【図９】本実施の形態２におけるアドレス配置を基準値より求めたアドレス配置図
【図１０】本実施の形態２におけるアドレス配置を調整値より求めたアドレス配置図
【図１１】本実施の形態３における欠陥表示装置の構成を示したブロック図
【図１２】本実施の形態３におけるディスク上の傷を示したイメージ図
【図１３】本実施の形態３における欠陥位置を基準値より求めたイメージ図
【図１４】本実施の形態３における欠陥位置を調整値より求めたイメージ図
【図１５】本実施の形態４における光ディスク装置の構成を示したブロック図
【符号の説明】
【００６７】
１〜１２    領域
５０，６０    スピンドルモータ
５１，６１，７１，８１    ディスク
５２，６２，７２，８２    光ピックアップ
５３，６３，８３    アドレス検出手段
５４    回転信号生成手段
５５    アドレス取得手段
５６，６６    演算手段
６４    回転角判別手段
６５    回転角取得手段
７３    エラー検出手段
７４    アドレス変換手段
７５    表示部
８４    制御手段
８５    移動手段
１００〜１４１，２００〜２４１    アドレス
１５０，２５０    トラック
１５１    同期位置
１５５，１５６    同期アドレス列の平均回転角
２５５，２５６    基準位置の平均回転角
２６１〜２６５    基準位置
【図１】
2008262624.tif 000006
【図２】
2008262624.tif 000007
【図３】
2008262624.tif 000008
【図４】
2008262624.tif 000009
【図５】
2008262624.tif 000010
【図６】
2008262624.tif 000011
【図７】
2008262624.tif 000012
【図８】
2008262624.tif 000013
【図９】
2008262624.tif 000014
【図１０】
2008262624.tif 000015
【図１１】
2008262624.tif 000016
【図１２】
2008262624.tif 000017
【図１３】
2008262624.tif 000018
【図１４】
2008262624.tif 000019
【図１５】
2008262624.tif 000020